(57)【特許請求の範囲】
【請求項１】
それぞれ一つのアダプタを備えた多数の照明器具を任意に位置決めして据付けるための、室天井或いは他の支持能力のある取付け面に固定される形材の形状で、導体支持体として形成される照明器具担持レールであって、形材本体（１，１１）がアダプタの固定部材を収容するためのおよび軸方向の電流接続兼結合部材を正面側で収容するための係合空域（１ｃ，１１ｂ）を備えており、上記係合空域（１ｃ，１１ｂ）の領域内の形材壁部に導体支持体として働く金属線（２，１２）が電気的に絶縁されて設けられている様式の、導体支持体として形成された照明器具担持レールにおいて、
形材本体（１，１１）が導路（１ａ，１１ａ）が内に形成されるように合成物質から連続プレスにより成形された形材として形成されており、導電体として働く金属線（２，１２）とアース導線（３，１３）を形成する金属線とが形材の全長にわたって延在している接触面が露出するように形材壁部内に埋設されていること、
形材本体の両側面の形材壁部内にそれぞれ一つの内方へと延在している狭い係合溝（１ｂ）が形成されており、これらの係合溝の内方に存在する領域内に導体に所属するそれぞれ一つの金属線（２）が接触面が露出するように形材壁部内に埋設されていること
形材本体（１）の基礎側に面している側が、幅広の溝様の係合空域（１ｃ）を備えており、この係合空域（１ｃ）の内方の境界を形成している形材壁部内に、アース導線（３）を形成している金属線が接触面が露出するように埋設されており、かつこの係合空域（１ｃ）を側方で区画している形材壁部が切欠き部（１ｄ）を有していること、
および
室天井或いは他の支持能力のある取付け面に、垂直な軸を中心にして回転可能に固定可能な、形材本体（１）を把持しかつ固定鼻部（５）で形材本体（１）の係合溝（１ｂ）内に係合する基礎保持体（４）が設けられていること
を特徴とする請照明器具担持レール。
【請求項２】
形材本体（１１）が室天井或いは他の支持能力のある取付け面に直接固定可能な、係合空域（１１ｂ）を三つの側面で区画するＣ−字形形材として形成されており、その際内方の形材壁部が側方で延在している切欠き部（１１ｃ）を備えており、この切欠き部の終端領域内に導電体を形成している金属線（１２）が貫通している接触面が露出するように形材壁部内に埋設されており、かつ係合空域（１１ｂ）の外方の壁部領域内にアース導線（１３）を形成している他の金属線が、貫通している接触面が露出するように形材壁部内に埋設されている請求項１に記載の照明器具担持レール。
【請求項３】
形材本体（１）がその外壁部内に弾性作用の下に締付け固定可能な、装飾のための条片、情報担持体或いはこのような目的のために役立つ締付け形材（８）を収容するための切欠き部（７）を備えていることを特徴とする請求項１或いは２に記載の照明器具担持レール。
【発明の詳細な説明】
【０００１】
【産業上の利用分野】
本発明は、それぞれ一つのアダプタを備えた多数の照明器具を任意に位置決めして据付けるための、室天井或いは他の支持能力のある取付け面に固定される形材の形状で、導体支持体として形成される照明器具担持レールであって、形材本体がアダプタの係留部材を収容するためのおよび軸方向の電流接続兼結合部材を正面側で収容するための係合空域を備えており、上記係合空域の領域内の形材壁部に導体支持体として働く金属線電気的に絶縁されて設けられている様式の、導体支持体として形成された照明器具担持レールに関する。
【０００２】
【従来の技術】
これらの特徴を有する照明器具担持レールは既に市販されており、従って広く知られている。このような照明器具担持レールは作業所、博物館、読書室、売り場のような多くの照明を必要しする空域で使用される。これに伴って、比較的僅かな設備費で多数の照明器具を最適に取付けること、および空域を照明需要により良く適応して照明することが可能である。形材は室天井或いは他の支持能力のある取付け面に固定される。形材内に存在している金属線は導電体と結合される。或る照明器具を取付けるには、電流接触部材と固定部材とを備えているそのアダプタが所定の位置で照明器具担持レールと結合される。この場合その電流接触部材は照明器具担持レールの電流を案内する線材と結合される。
【０００３】
同時にアダプタの係留部材は照明器具担持レールの係合空域内に係合される。この様式の公知の照明器具担持レールは、その製造のために色々な製造場所において多数の作業工程を必要とすると言う欠点を有している。これにより、照明器具担持レールは比較的高価なものとなる。これらの照明器具担持レールは、照明器具のアダプタがそれぞれそれらの端部において照明器具担持レールにより把持されるように構成されている。このことが可能になる前提は、照明器具担持レールが比較的幅広い係合空域を有していることである。その外、アダプタがその接触領および固定領域にあって細身に形成しなければならず、このことは照明器具担持レールの負荷能と安全性を著しく阻害する。
【０００４】
【発明が解決しようとする課題】
本発明の根底をなす課題は、安価な製造を可能にし、しかも形状の点で大きな多様性を可能にする方法を、このような照明器具担持レールの製造のために使用し得るように、構造上新しく開発することである。
【０００５】
【課題を解決するための手段】
上記の課題は本発明により、形材本体が導路が内に形成されるように合成物質から連続プレスにより成形された形材として形成されており、導電体として働く金属線とアース導線を形成する金属線とが形材の全長にわたって延在している接触面が露出するように形材壁部内に埋設されていること、
形材本体の両側面の形材壁部内にそれぞれ一つの内方へと延在している狭い係合溝が形成されており、これらの係合溝の内方に存在する領域内に導体に所属するそれぞれ一つの金属線が接触面が露出するように形材壁部内に埋設されていること
形材本体の基礎側に面している側が、幅広の溝様の係合空域を備えており、この係合空域の内方の境界を形成している形材壁部内に、アース導線を形成している金属線が接触面が露出するように埋設されており、かつこの係合空域を側方で区画している形材壁部が切欠き部を有していること、
および
室天井或いは他の支持能力のある取付け面に、垂直な軸を中心にして回転可能に固定可能な、形材本体を把持しかつ固定鼻部で形材本体の係合溝内に係合する基礎保持体が設けられていること
によって解決される。
【０００６】
本発明による有利な他の構成は特許請求の範囲の請求項２および３に記載した。
【０００７】
以下に添付した図面に図示した実施例につき本発明を詳細に説明する。
【０００８】
【実施例】
本発明による照明器具担持レールは、合成物質から連続プレス加工により製造された形材本体１，１１から成り、この形材本体は導路１ａ，１１ａを囲繞している。この照明器具担持レールの壁部内には、導体として働く金属線２，１２；３，１３が接触面が露出するように埋設されている。その壁部の領域は係合空域１ｃ，１１ｂに形成されており、この係合空域内に図面では示さなかった照明器具のアダプタがその固定部材でもって係合し、軸方向での接続兼結合部材を端面側で収容する。
【０００９】
図１と図２に示した実施例にあっては、アダプタを部分的に把持し、しかも本質的にアダプタによって把持される照明器具担持レールの実施例である。この実施例にあっては、形材本体１は特に幅狭くかつ軽量である。この形材本体は基礎保持体４によって保持されている。これらの基礎保持体はそれぞれ一つの部材から成り、照明器具担持レールの形材本体１を把持しかつ大体長方形の輪郭を有している成形部材として形成されている。これらの基礎保持体は、直径方向で互いに相対している二つの角偶において、それぞれ一つの内方に整向されている固定鼻部５を備えていて、それぞれ一つのねじ６により照明器具担持レールの面に垂直に起立している軸を中心にして回転可能に室天井或いは他の取付け面に固定可能である。照明器具担持レールを収容するために、基礎保持体はこの照明器具担持レールの長手方向に対して傾斜位置に置かれ、形材本体１が挿入された後その長手方向に回転される。その際、固定鼻部５は形材本体１の側方の係合溝１ｂ内に係合し、この形材本体を保持する。
【００１０】
形材本体１の両側において、それぞれ内方に延在している係合溝１ｂが形材壁部内に成形されている。この係合溝の内方に存在している領域内において、導体に所属するそれぞれ一本の金属線２が、形材壁部内に、形材全長にわたって延在している接触面が露出されるように埋設されている。係合溝１ｂの幅は、その中に設けられている金属線２がアダプタの電流接触子に達するが、しかしこれを取扱う指或いは導電性の工具には接触しなような幅狭な寸法に設定されている。
【００１１】
形材本体１の基礎側に相対して存在している−一般に下方に存在している−側面は、その中央部に幅広い係合空域１ｃを備えている。この係合空域を内方で区画している形材壁部内には、形材全長にわたって延在している接触面が露出されて、他のアース導線３を形成している金属線がが埋設されている。この係合空域１ｃの側壁を区画している形材壁部は切欠き部１ｄを有している。アダプタは、その頭部領域のアース導線を備えている中央の部分で、係合空域１ｃとその切欠き１ｄ内に係合する。導体の終端部分を備えていてかつ耐引張り応力を備えている二つの互いに相対している係留部材で、アダプタは形材本体１の側方係合溝１ｂ内に係合する。これに伴い、照明器具担持レールの導体への接続が形成され、照明器具は照明器具担持レールに固定される。
【００１２】
図３に図示した実施例にあっては、形材本体１１は、二重壁のかつそれらの壁部間に導路１１ａを囲繞していて、室天井に或いは他の適当な取付け面に直接固定される本質的にＣ−字形の形材として形成されている。この形材本体は、基礎側に相対している溝状の幅広い係合空域１１ｂを備えており、この係合空域はそれぞれアダプタの頭部を完全に捕捉する。この係合空域１１ｂは更に軸方向の接続兼結合部材を正面側で収容する。この接続兼結合部材を介して電流供給が行われ、この接続兼結合部材により多数の照明器具担持レールが互いに結合可能である。この係合空域１１ｂの側壁内に、側方に延在している切欠き部１１ｃが形成されており、これらの切欠き部の深所内に導体に所属しているそれぞれ一本の金属線１２が、貫通している接触面が露出されるように形材壁部内に埋設されている。これらの切欠き部１１ｃは、金属線１２が取扱の際指が触れないように、或いは普通の工具が接触しないような、幅狭い寸法に設定されている。係合空域１１ｂの側壁の一つ内に、入口領域内で、アース導線１２ａを形成している他の金属線が貫通している接触面が露出されるように埋設されている。
【００１３】
この実施例は、その固定のためにねじ以外に他の構造部分を必要としないと言う利点を有している。此の実施例による構成は照明器具担持レールの構造がアダプタを完全に捕捉する構造であるので、形材本体１１が比較的幅広くかつ相応して材料に要する経費を多く出費しなければならない。
【００１４】
両実施例にあっては、形材壁部内に存在している導路１ａ，１１ａの少なくとも一つは他の導線９，１９或いは他の目的のための、例えば弱電流導線或いはアンテナのためのケーブルを収容するのに適している。
【００１５】
図１および図２に図示した実施例にあっては、形材本体１はその外壁部内に、締付け形材８を収容するための切欠き部７を備えており、これらの締付け形材は装飾のための条片或いは情報担持体として使用することが可能である。
【００１６】
このような装置は図３による実施例にあっても設けることが可能である。
【００１７】
【発明の効果】
本発明による照明器具担持レールは、多様な製造工程を要することなく連続プレスにより容易に製造することができるので製造費および材料費が安価であり、しかもその構造が従来のものに比較して頑丈であり、またどのような場所にあっても簡単に組立て据付けすることが可能である。
【図面の簡単な説明】
【図１】導体支持体として形成される照明器具担持レールの、比較的幅狭な軽量な構造構成の断面図である。
【図２】基礎保持体を備えた、図１による照明器具担持レールの部分図である。
【図３】照明器具担持レールの幅広くかつ重量がある構造構成の断面図である。
【符号の説明】
１，１１  形材本体
１ａ，１１  導路
２，１２    金属線
３，１３  アース導線
４  基礎保持体
５  固定鼻部
６  ねじ
７  切欠き部
８  締付け形材
９，１９  導線
１１ｂ  係合空域
１２ａ  アース導線
【図１】
0003581732.tif 000002
【図２】
0003581732.tif 000003
【図３】
0003581732.tif 000004